(57)【要約】【課題】連続式洗濯機に関し、洗濯工場の作業者に負担をかけることなく、より清潔な洗濯済み商品を得ることができるようにする。【解決手段】連続式洗濯機に元々備わっているすすぎ水や脱水機の排水を洗濯水としてリサイクルして使うためのリサイクル経路に、機器内の水を循環できるようにするための経路を追加し、途中に殺菌装置その他の洗浄力付与装置５３（５３ａ、５３ｂ）を配置することで、循環経路全体の洗浄を行うことができるようにした。洗浄対象は、菌や汚れの蓄積が問題となる、すすぎ槽と回収水を貯留するためのタンク３、４とそれらタンクに接続されている回収配管３１、４１及び送り配管３３、４３である。【選択図】図１
2019024522.tif 000002
【特許請求の範囲】
【請求項１】
すすぎ領域の槽に回収水を送る送り配管及びポンプと、洗濯運転並びに前記配管の電磁弁の開閉及び前記ポンプの運転停止を制御する制御器とを備えた連続式洗濯機の運転方法において、前記制御器は、洗濯運転が終了して前記すすぎ領域のすべての槽から洗濯物が排出された後、前記ポンプで前記すすぎ領域の槽に殺菌作用ないし洗浄作用を備えた洗浄水を循環させることを特徴とする、連続式洗濯機の運転方法。
【請求項２】
制御器を備えた連続式洗濯機のすすぎ領域の槽から回収したリサイクル水を当該槽又は他の槽に送るポンプ及び送り配管と、殺菌装置ないし洗浄力付与装置とを備え、前記制御器は、洗濯運転が終了して前記すすぎ領域の最終槽から洗濯物が排出された後、前記ポンプで前記殺菌装置ないし洗浄力付与装置を経由した洗浄水を前記すすぎ領域の槽に循環させることを特徴とする、自動洗浄装置を備えた連続式洗濯機。
【請求項３】
連続式洗濯機の運転時にすすぎ領域の槽からすすぎ水を回収する回収配管と、回収した水を一時貯留するタンクと、当該タンクの水を洗い領域の槽に送る送り配管と、当該送り配管又はタンクから分岐してすすぎ領域の槽に連通する洗浄用配管と、前記送り配管の水を前記洗浄用配管に切り替える電磁弁とを備え、前記洗浄水が前記回収配管及びタンクを経由して循環する、請求項２記載の連続式洗濯機。
【請求項４】
前記洗浄用配管から分岐して脱水機を経由する脱水機洗浄配管を備えている請求項２又は３記載の連続式洗濯機。
【請求項５】
前記洗浄力付与装置が、前記すすぎ領域に設けられた槽内の水を殺菌可能な温度まで加温できる加熱装置である、請求項２、３又は４記載の連続式洗濯機。
【請求項６】
前記連続式洗濯機が、前記洗濯領域とすすぎ領域とを個別に運転停止可能な回転駆動装置を備えている、請求項２から５のいずれか１に記載の連続式洗濯機。
【発明の詳細な説明】
【技術分野】
【０００１】
この発明は、連続式洗濯機に関し、特に洗濯運転の終了後に洗濯槽内及び当該洗濯機に接続されているタンクや配管内を自動で洗浄する装置を備えた連続式洗濯機及び当該洗濯機の運転方法に関するものである。
【背景技術】
【０００２】
周知のように連続式洗濯機は、直列に配置された複数の洗濯槽を内部に備えたドラムを搖動させることによって各槽での洗濯を同時並行的に行い、所定の時間間隔でドラムを１回転させることにより各槽の洗濯物を次槽に送るという動作を繰り返すことによって、ドラムの一端から投入された洗濯物を洗濯して反対側の端部から機外に排出する洗濯機で、大量の洗濯物を処理するのに用いられている。連続式洗濯機には、洗濯物の排出口に隣接して一般的には圧搾式の脱水機が設けられており、多量のすすぎ水を含んだ洗濯物の脱水が行われる。
【０００３】
連続式洗濯機の槽は、洗い領域とすすぎ領域とに大別される。洗い領域には、先頭（洗濯物が送入される側）の予洗槽と、その後に続く複数の本洗槽とを備え、すすぎ領域には、複数のすすぎ槽と最終の仕上げ槽（加工槽とも呼ばれる。）とが設けられるのが一般的である。予洗槽では、水洗いによって洗濯物に付着している異物を除去し、その後段の複数の本洗槽で洗剤を含む加温された洗濯水で汚れの除去が行われる。本洗槽を通過した洗濯物は、すすぎ槽内のすすぎ水で本洗で使用した洗剤その他の薬剤が除去され、仕上げ槽でサイジング剤などの仕上げ用の薬剤を添加した水で仕上げ加工が行われて脱水機へと排出される。
【０００４】
なお、洗濯領域ではバッチフロー、すなわち洗濯物を次槽へ送るときに洗濯水も同時に送るという形式で洗濯されることが多く、すすぎ領域ではカウンターフロー、すなわちすすぎ水を洗濯物の移送方向と逆方向に流す形式ですすぎが行われることが多い。
【０００５】
洗濯に使用する水を節約するために、すすぎ領域で使用したすすぎ水や脱水機の排水を予洗に使用する予洗水や本洗で使用する本洗水として再利用（リサイクル）することが従来から行われている。この場合には、すすぎ水や脱水機の排水のタイミングと予洗槽や本洗槽への給水のタイミングとに時間差があるため、回収水を一時的に貯留するタンクが設けられ、当該タンクにすすぎ領域の槽や脱水機からの水を流す回収配管と、当該タンクから予洗槽や本洗槽に回収水を送るための送り配管とポンプが設けられる。
【０００６】
連続式洗濯機は、槽内のすべての槽に洗濯物が存在している状態で、大量の洗濯物を効率よく洗濯することができる。しかし、洗濯機を運転しない夜間は、洗濯槽内を空（空槽）にしておくことが望ましい。ドラム内の全槽が空の状態で運転を開始してから洗濯物が全槽に行き渡るまで、及び洗濯物の投入をやめてからドラム内の全槽が空になるまでには、各槽での洗濯時間×槽数の経過時間が必要であり、この経過時間の間は、一部の槽にしか洗濯物が入っていないので効率が悪く、運転時間の管理も面倒になる。
【０００７】
この問題を解決する手段として、特許文献２は、夜間の洗濯機の停止時に槽内に洗濯途中の洗濯物を入れたままにしておくと、すすぎ領域の槽内では雑菌が増殖して洗濯物を汚染するのに対し、本洗槽では洗濯水に薬剤が含まれておりかつ加熱されているため雑菌の増殖が抑えられることに着目して、ドラムを洗い領域のドラムとすすぎ領域のドラムとに２分割して、それぞれに回転駆動装置を設けることにより、上述した経過時間を短縮する提案がなされている。
【０００８】
連続式洗濯機及び脱水機は、汚れやリント（繊維屑）を含んだ水を扱う機械であるため、機械内部に汚れが付着したり雑菌が繁殖しやすい。洗濯物を清潔に洗濯するためには、機械内部の汚れや雑菌を日常的に洗浄することが望ましい。特許文献１には、脱水機の機内や脱水済の洗濯物を搬送するコンベヤを日常的に洗浄する装置が提案されている。
【０００９】
一方、長大なドラム内に複数の洗濯槽を区画形成した連続式洗濯機の槽内を洗浄する作業は、非常に手間や時間がかかるため、日常的に洗浄を行なうことは困難であり、半年に１回程度の頻度でしか洗浄は行なわれていないのが実情である。
【先行技術文献】
【特許文献】
【００１０】
【特許文献１】特開２００８-１４９１２０号公報
【特許文献２】特開２０１１-２３９８８６号公報
【発明の概要】
【発明が解決しようとする課題】
【００１１】
洗濯物を清潔に洗濯するためには、機械内部の特にすすぎ領域の槽や脱水機の汚れや雑菌を頻繁に洗浄することが望ましい。半年に１回程度の洗浄では、槽や配管内部に汚れが固着し、汚れが固着してしまった状態では、汚れを完全には除去しきれない。また、配管内に蓄積した汚れまでは除去できないという問題がある。
【００１２】
また、脱水機の排水を回収水として再利用するときは、脱水機で回収された水が連続式洗濯機のタンクへ送水され、洗濯水、すすぎ水として再利用されるため、脱水機側のリサイクル配管内も清潔な状態を維持する必要がある。
【００１３】
この発明は、連続式洗濯機における洗濯において、洗濯工場の作業者に負担をかけることなく、より清潔な洗濯済み商品を得ることができるようにすることを課題としている。
【課題を解決するための手段】
【００１４】
連続式洗濯機の本洗槽１２〜１６は、汚れの蓄積はあるが、加熱されており、洗剤が供給されるため、雑菌の繁殖は起こり難い。また洗い領域Ｗで汚れが付着しても、すすぎ領域Ｒで洗い流されることが多く、洗濯済製品の品質を低下させる可能性は少ない。これに対してすすぎ領域の槽１７〜２０は通常、加熱されないため、槽内に汚れや雑菌が繁殖しやすく、洗濯済製品の品質を低下させる。
【００１５】
また、すすぎ領域Ｒの槽からの回収水を貯留するタンク３、４内部にも汚れや菌が蓄積し、タンク３、４に貯留された水は、洗濯水やすすぎ水として、再利用されるため、タンク３、４やこれらのタンクに繋がる回収配管３１、４１や送り配管３３、４３内に汚れや菌の蓄積が起こると、回収水へ混入して洗濯物へ付着するおそれがある。
【００１６】
この発明は、上記の知見に基づき、連続式洗濯機に元々備わっているすすぎ水や脱水機の排水を洗濯水としてリサイクルして使うためのリサイクル経路に、機器内の水を循環できるようにするための経路を追加し、途中に殺菌装置その他の洗浄力付与装置５３（５３ａ、５３ｂ）を配置することで、循環経路全体の洗浄（殺菌を含む、以下同じ。）を行うことができるようにした。洗浄対象は、菌や汚れの蓄積が問題となる、すすぎ槽と回収水を貯留するためのタンク３、４とそれらタンクに接続されている回収配管３１、４１及び送り配管３３、４３である。
【００１７】
この発明の連続式洗濯機の運転方法は、すすぎ領域の槽１７〜２０に回収水を送る送り配管３３、４３及びポンプ３２、４２と、洗濯運転並びに前記配管の電磁弁３８、４８の開閉及び前記ポンプの運転停止を制御する制御器とを備えた連続式洗濯機の運転方法において、前記制御器は、洗濯運転が終了して前記すすぎ領域のすべての槽から洗濯物が排出された後、前記ポンプで前記すすぎ領域の槽に洗浄水、好ましくは殺菌作用を備えた洗浄水を循環させることを特徴とする。
【００１８】
また、この発明の連続式洗濯機は、すすぎ領域の槽１７〜２０に回収水を送る送り配管３３、４３及びポンプ３２、４２と、洗濯運転並びに送り配管３３、４３の電磁弁３８、４８の開閉及びポンプ３２、４２の運転停止を制御する制御器とを備えた連続式洗濯機において、送り配管３３、４３又は当該配管に設けたタンク３、４から分岐する洗浄用配管５１と、洗浄用配管５１と分岐した送り配管とに送水を切り替える電磁弁５４、４８とを備え、前記制御器は、洗濯運転が終了して前記すすぎ領域から洗濯物が排出された後、洗浄用配管側の電磁弁５４を開き送り配管４３側の電磁弁４８を閉じて前記ポンプを運転するというものである。
【００１９】
隣接して脱水機が設置されている連続式洗濯機では、洗浄水をすすぎ槽に送る洗浄用配管５１と、脱水機に送る脱水機洗浄配管６１と、送水をこれらの配管に選択的に送る電磁弁５８、６８を設ける。
【００２０】
洗浄水に殺菌作用を付与する殺菌装置５３ａとしては、流水型紫外線殺菌装置やオゾン殺菌装置などを用いることができる。また、配管途中に殺菌装置を設ける代わりに、タンク３、４やすすぎ領域の槽１７〜２０内や配管３３、４３の途中に、次亜塩素酸ナトリウム、過酢酸など消毒剤あるいは微酸性次亜塩素酸水などの殺菌効果のある水を注入する装置を設けることもできる。また、すすぎ槽内の水を殺菌可能な温度（概ね６０度）以上に加熱する加熱装置を設けて洗浄水を加熱殺菌することもできる。
【００２１】
また、洗浄水に洗浄力を付与する洗浄力付与装置５３ｂとしては、循環する水を加熱する加熱装置８、９、５９や、循環途中の水に洗剤を供給する洗剤供給装置、微小気泡を混入して洗浄力を付与するエジェクタなどの気泡発生装置などを用いることができる。
【発明の効果】
【００２２】
本発明によって、日常的かつ自動的に、連続式洗濯機の槽内の洗浄を行なえるようになり、連続式洗濯機の特に雑菌が増殖しやすいすすぎ槽内部への汚れの蓄積が軽減し、常に清潔な状態を維持することができるため、常に清潔な洗濯済製品を提供することができ、清掃作業に必要な作業者の負担を軽減することができるという効果がある。
【図面の簡単な説明】
【００２３】
【図１】第１実施例の連続式洗濯機のブロック図
【図２】第２実施例の連続式洗濯機のブロック図
【図３】第３実施例の連続式洗濯機のブロック図
【発明を実施するための形態】
【００２４】
以下、図示実施例を参照して、この発明の実施形態を説明する。図の連続式洗濯機５は、全部で１０個の槽を備えており、第１槽１１〜第６槽１６が洗い領域Ｗの槽、第７槽１７〜第１０槽２０がすすぎ領域Ｒの槽となっている。洗い領域Ｗの槽は、第１槽１１が予洗槽、第２槽１２〜第６槽１６が本洗槽とされ、すすぎ領域Ｒの槽は、第７槽１７〜第９槽１９がすすぎ槽、第１０槽２０が仕上げ槽とされている。
【００２５】
洗濯水及びすすぎ水は、複数の槽間をカウンタフロー又はバッチフローで流れる。図１、２の連続式洗濯機は、本洗がバッチフロー、すすぎがカウンターフローのもので、すすぎ水は第９槽１９に供給されて第７槽１７から排出される。図１、２には、すすぎ水をカウンタフローで流すための逆止弁配管２８、２９が示されている。すすぎがバッチフローの図３の場合は、各すすぎ槽毎にすすぎ水の給排水が行われる。
【００２６】
図示実施例の連続式洗濯機は、ドラムが洗いドラム１とすすぎドラム２とに分割され、定常状態では洗いドラム１とすすぎドラム２とが同期運転されるが、定常運転の開始時及び終了時には個別に運転可能で、洗い領域の槽に洗濯物を残したまま、すすぎ領域の槽をすべて空槽にできる構造となっている。
【００２７】
ドラム１、２を収容する外胴２１の一端には、洗濯物投入用のホッパ２２が設けられ、他端には洗濯物を排出するシュータ２３が設けられている。図では脱水機６を連続式洗濯機５から離れた位置に記載しているが、実際には連続式洗濯機５に隣接して配置され、シュータ２３から排出された洗濯物が脱水機６内に滑り落ちる構造となっている。
【００２８】
連続式洗濯機の各槽には給水配管とドレン配管が接続されている。洗濯水を加温する蒸気配管は、通常、本洗槽１２〜１６には電磁弁を介して接続され、すすぎ槽１７〜１９には手動弁を介して接続されている。これらの一般的な配管は、図では省略されている。図には第２槽（本洗先頭槽）に洗剤や漂白剤などの薬剤を投入する薬剤投入装置２４が図示されており、本洗先頭槽１２、すすぎ先頭槽１７及び仕上げ槽２０にオーバーフロー管２５、２６及び２７が設けられている。すすぎがバッチフローの図３の装置では、すすぎ中間槽１８、１９にもオーバーフロー管２６が設けられている。
【００２９】
図に示す連続洗濯装置では、脱水機６及び仕上げ槽２０から回収した回収水とすすぎ槽１７〜１９から回収した回収水とを区分して再利用するために、第１タンク３と第２タンク４とを設けている。これらのタンクには、新水供給管７から新水が供給できるようになっている。第１タンク３には、ポンプ６２及び脱水回収配管６３で脱水機６からの回収水が流入し、回収配管３１で仕上げ槽２０からの回収水が流入して、貯留される。第２タンク４には、回収配管４１ですすぎ槽１７〜１９からの回収水が流入する。すすぎがカウンターフローの図１、２では、すすぎ中間槽１８、１９の水は、すすぎ先頭槽１７を経由して回収されるので、回収配管４１はすすぎ先頭槽１７にのみ設けられている。それらの回収水は、リントスクリーン３７、４７でリントを除去して貯留される。
【００３０】
第１タンク３に貯留された水は、ポンプ３５及び予洗水配管３６で予洗槽１１に送ることができる。更に、ポンプ３２及び送り配管３３で第９槽（すすぎ最終槽）１９に送ることもできるようになっている。すすぎ最終槽１９に回収水を供給することにより、新水のみを供給する場合よりすすぎ性が向上することができ、より少ない新水使用量ですすぐことが可能になり、節水になる。
【００３１】
第２タンク４に貯留された回収水は、ポンプ４５及び予洗水配管４６で予洗槽１１に送ることができる。更に、ポンプ４２及び送り配管４３で第２槽（洗い先頭槽）１２に送ることもできるようになっている。回収水を本洗水として再利用する場合は、ポンプ４２を運転すると共に、電磁弁４８を開き電磁弁５４を閉じて回収水を送り配管４３を通して第２槽１２に送る。
【００３２】
以上に説明したタンク３、４を含む配管系は、一例である。このような配管系を備えた連続式洗濯機に、以下に説明する洗浄用配管５１を追加することにより、本願の発明に係る連続式洗濯機を得ることができる。図１に示す第１実施例の連続式洗濯機では、回収水を本洗槽１２に送る送り配管４３の途中から分岐して、電磁弁５４、フィルター５２及び殺菌装置５３ａを経由して仕上げ槽２０に連通する洗浄用配管５１が設けられている。
【００３３】
図２に示す第２実施例では、第１実施例と同様にして設けた洗浄用配管５１から分岐して脱水機６の機内に洗浄水を散布するための脱水機洗浄配管６１と、当該配管の先端の散布ノズル６５とが設けられている。この第２実施例では、脱水機洗浄配管６１が分岐した後の洗浄用配管５１と脱水機洗浄配管６１とに電磁弁５８、６８が設けられている。
【００３４】
図３に示す第３実施例では、第１タンク３の回収水をすすぎ槽１７〜１９の各槽に個別に送ることができるように、送り配管３３がそれぞれの電磁弁５５・・・を介して各槽１７〜１９に接続されており、各槽１７〜１９からの回収水を第２タンク４に回収する回収配管４１が各槽１７〜１９のオーバーフロー管２６・・・に接続されている。
【００３５】
次に、実施例の連続式洗濯機のすすぎ領域洗浄動作について説明する。以下の動作は、洗濯機に付設されている制御器に登録したプログラムにより自動的に行われる。
【００３６】
準備工程：終業停止操作によりすすぎ槽の品物を排出し、槽内を空の状態にする。洗いドラム１とすすぎドラム２が分割されている洗濯機では、終業停止スイッチの操作信号を受けたとき、直ちに又はドラムの次の１回の送り回転を行った後、洗いドラム１を停止させる。すすぎドラム２は、洗いドラムが停止した後も、通常の洗い動作と送り動作を繰り返す運転を継続する。制御器は、すすぎドラム２内の総ての槽が空槽になった時点ですすぎドラムを停止させる。その後、すすぎ領域の槽１７〜２０及びタンク３、４の水を排水し、新水に入替える。
【００３７】
洗浄工程：すすぎドラムを揺動させた状態で、すすぎ槽１７〜２０及びタンク３、４に洗浄水を循環させる。すなわち、電磁弁４８を閉じて電磁弁５４を開き、ポンプ３２、４２を運転する。ポンプ４２で送り出された第２タンク４からの水は、送り配管４３、洗浄用配管５１及び殺菌装置５３ａを通して第１０槽２０に送られる。第２タンク４の水は、殺菌装置５３ａを通過することにより、洗浄水となる。第１０槽２０に送られた洗浄水は、第１０槽２０内を洗浄してオーバーフロー管２７及び回収配管３１を通って第１タンク３に流入する。
【００３８】
カウンターフローですすぎを行う第１及び第２実施例では、第１タンク３に流入した洗浄水は、ポンプ３２により第９槽１９に送られ、第９槽→第８槽→第７槽へとカウンターフローで流れ、第７槽１７のオーバーフロー管２６から回収配管４１を通って第２タンク４へと流入する。
【００３９】
バッチフローですすぎを行う第３実施例では、第１タンク３に流入した洗浄水は、ポンプ３２の運転と電磁弁５５・・・の切り換え動作により、第９槽１９、第８槽１８及び第７槽１７へ所定時間ずつ個別に送られ、それぞれの槽に設けたオーバーフロー管２６から回収配管４１を通って第２タンク４へと流入する。
【００４０】
すなわち、洗濯運転が終了してすすぎ領域の槽が空になった後、電磁弁４８を閉じ、電磁弁５４を開いてポンプ３２、４２を運転することにより、第２タンク４から出た水が洗浄水となって、仕上げ槽２０、回収配管３１、第１タンク３、送り配管３３、すすぎ槽１９〜１７、回収配管４１、第２タンク４と循環することにより、すすぎ領域の槽、タンク及び配管が洗浄される。その後、要すればポンプ３５、４５を運転することにより、タンク３、４に溜まった洗浄水を予洗水配管３６、４６を通して予洗槽１１に送り、予洗槽１１からドレン配管に排出することにより、予洗水配管３６、４６を洗浄することができる。
【００４１】
図３に例示した連続式洗濯機のように、すすぎ槽１７〜１９のすべてにオーバーフロー管２６・・・を備えている洗濯機であれば、各槽に供給した洗浄水をオーバーフロー管２６・・・を通して第２タンク４に戻すことにより、各槽に一定量の洗浄水を溜めた状態で各槽の洗浄を行うことができる。すすぎ槽にオーバーフロー管を備えていないときは、第１タンク３から各すすぎ槽１７〜１９に洗浄水を供給する送り配管３３に設けた電磁弁５５・・・を間欠的に開閉するなどして、洗浄工程中のすすぎ槽に所定量の洗浄水が溜まった状態を維持して洗浄工程を行えば良い。
【００４２】
図２に示す第２実施例では、第１実施例の殺菌装置５３ａに代えて洗浄水に気泡を注入して洗浄力を付与するエジェクタ５３ｂを設け、更に、本洗槽１２〜１６の洗濯水を加熱するために設けられている蒸気配管８をすすぎドラム２に連通する電磁弁５９付の分岐配管９を設けて、洗浄時に電磁弁５９を開くことにより、洗浄水を加温して洗浄力を高めるようにしている。
【００４３】
更にこの第２実施例では、洗浄水を第２タンク４→洗浄力付与装置５３ｂ→第１０槽２０→第１タンク３→第９槽１９→第７槽１７→第２タンク４と循環させて、第１０槽（最終槽）の洗浄を所定時間行った後、電磁弁６８を開き電磁弁５８を閉じて、第１０槽２０を通る経路を脱水機６を通る経路に切り替えて、脱水機洗浄配管６１、脱水機６及び脱水回収配管６３の洗浄を行うことができるようにしている。
【００４４】
第２実施例のように、連続式洗濯機５の洗浄を行う洗浄用配管５１から分岐して洗浄水を脱水機６に送る配管６１と流路を切り替えるための電磁弁５８、６８を設けることにより、連続式洗濯機５を洗浄する装置で脱水機６の洗浄も行うことが可能になり、脱水機を個別に洗浄する装置を設けるのに比べて、装置の構造や洗浄時の制御手順を単純化することができる。
【００４５】
なお、上記実施例では、洗浄対象をすすぎ領域の槽や脱水機及びそれらの配管系としたが、必要に応じて洗浄水を循環する配管と流路を切り換える電磁弁を追加することにより、本洗領域槽や付属設備も同じように循環洗浄することができる。例えば、オーバーフロー管を備えた本洗槽からのオーバーフロー水をタンクに回収する配管を追加し、予洗槽１１に送った洗浄水を循環するようにする。この場合、予洗槽に直接供給される洗剤や蒸気で洗浄水に洗浄力を付与することもできる。
【００４６】
また、本洗とすすぎが共にカウンターフローの連続式洗濯機であれば、第１タンク３から洗浄水を第９槽１９に送り、第２槽１２のオーバーフロー管２５から第２タンク４に回収するようにすれば、すすぎから本洗までのすべての槽を同時に循環洗浄することができる。
【符号の説明】
【００４７】
５  連続式洗濯機
６  脱水機
３、４  タンク
８    蒸気配管
１１  予洗槽
１２〜１６  本洗槽
１７〜１９  すすぎ槽
２０  仕上げ槽
３１、４１  回収配管
３３、４３  送り配管
３２、４２  ポンプ
３８、４８  電磁弁
５１  洗浄用配管
５３ａ  殺菌装置
５３ｂ  洗浄力付与装置
５４、４８  電磁弁
５８、６８  電磁弁
５９  電磁弁
Ｒ  すすぎ領域
Ｗ  洗い領域
【図１】
2019024522.tif 000003
【図２】
2019024522.tif 000004
【図３】
2019024522.tif 000005